(57)【要約】【課題】主に屋外で使用される除草シートやマルチシート等のシート類を簡単に敷設可能とするシート固定具であり、解体作業も簡単に行えるので、近年の環境保護の観点である循環型社会の形成に向け、廃棄物の抑制や限りある資源の有効利用への諸施策に効果的である。【解決手段】雑草の育成を阻む除草シートや農作物の育成補助に使用するマルチシート等のシート類に穴を開けるなどの加工する事なく、そのままの形状を使用して二つの部品でシート３を挟み込み固定させて土壌１６に設置させる方法であり、一方の部品はシート３の大きさに合せて、直線あるいは直角に連結させる事ができ、隣接する範囲への根止めと土壌１６への部品の位置固定として楔５を構成している。また、見栄え向上策として、シート３の上には使用者が自由に選択できる、様々な種類のタイルやブロックの他に小さな石や人工芝あるいはカーペットなどを使用できるので、デザイン性も豊かである。組立性及び解体性も容易である事から、材料の再利用にも勝れている環境に優しいシート固定具である。【選択図】図１
2013022014.tif 000002
【特許請求の範囲】
【請求項１】
雑草の育成を阻む除草シートや農作物の育成補助に使用するマルチシート等のシート３を固定する方法において、二種類の部品を使用してシート３を固定する方法であって、一方の部品には凸形状の枠部１５があり、枠部１５の基には凹形状の穴４があり、さらに外側には段差９が設けられ、枠部１５にある穴４の端部には第一の係止部１０が設けられている。他方の部品の端部には凸形状の第一の係止突起６あるいは支柱６ａがあり、もう一方の端部には、第二の係止突起８あるいは係止穴がある。尚、二つの部品間にシート３を挟み、第一の係止突起６を、第一の係止部１０と第二の係止突起８を、段差９とそれぞれ係止し、二つの部品間にシート３を挟む状態としてシート３を固定させることを特徴とするシート固定具。
【請求項２】
他方の部品の第一の係止突起６もしくは支柱６ａと第二の係止突起８の中間部には突起７が設けられ、突起７と第一の係止突起６は、互いの突出方向に対向して構成されている事を特徴とする請求項１記載のシート固定具。
【請求項３】
他方の部品にある凹形状の回転用穴１７が、一方の部品の第一の係止部１０に差し込まれ、回転用穴１７を軸として、二つの部品間にシート３を挟む状態としてシート３を固定させる事を特徴とする請求項１記載のシート固定具。
【請求項４】
第一の固定具１にある枠部１５の左右に平面部１４を構成している事を特徴とする請求項１記載のシート固定具。
【請求項５】
一方の部品の端部には、２つ以上の凹形状の穴があり、もう一方の端部には２つ以上の凸形状の突起があり、同一部品を複数個使用して、突起を穴に嵌合させて、直線あるいは略直角方向に連結させる事ができる構造を特徴とする請求項１記載のシート固定具。
【請求項６】
一方の部品には隣接する範囲への根止めと土壌への部品の位置固定を目的とした楔を設けた事を特徴とする請求項１記載のシート固定具。
【請求項７】
一方の部品にある凹形状の穴４は、他方の部品と係止される事により、穴が塞がれる状態となる事を特徴とする請求項１記載のシート固定具。
【請求項８】
他方の部品には、一方の部品との係止解除の際に用いる、ロック解除突起１８が設けられている事を特徴とする請求項１記載のシート固定具。
【発明の詳細な説明】
【技術分野】
【０００１】  本発明は、主に屋外で使用される除草シートやマルチシート等のシート類を簡単に敷設可能とするシート固定具に関する。
【背景技術】
【０００２】  除草シートは、多大な労力を必要とする草刈作業や環境破壊が懸念される除草剤散布等を行う事なく、雑草の育成を妨げる事ができるので、田畑等の耕作地や道路脇等に広く使用されている。更に、農作物の育成補助や害虫に対する対策に使用するマルチシート等、様々な用途で各種のシートが使用されている。【０００３】  シートの固定方法に関する公知の技術の一例として、例えば下記特許文献が開示されている。【０００４】
【特許文献１】特開平６−２４８６５２号公報
【特許文献２】特開２００７−１４３５１４号公報
【特許文献３】特開２００７−２０２５３９号公報
【発明の概要】
【発明が解決しようとする課題】
【０００５】  しかしながら、雑草の処置方法としては、除草シートを用いる方法が費用面や環境面を考慮した時に、最も効率が良い方法であるものの、土壌の表面をシートにて包むだけなので、見栄えの点では課題が残されている他、上記に示される技術によると敷設において、除草シートに楔を打込んだ隙間から雑草が生えたり、除草シートの捲れ防止としての機能を持つ楔自体が抜けてしまう課題や、敷設前の段階で除草シートに加工を施す必要がある等、簡単に敷設できないという様々な課題を有していた。【０００６】  また、農作物の育成を阻害してしまう雑草や害虫に対する対策として使用しているマルチシートは、シートの敷設と取外しを毎年実施しており、作業効率という点でも改善が望まれている状況にある。
【課題を解決するための手段】
【０００７】  本願の発明は、このような課題を解決する為になされ、その具体的解決手段として、従来のシート固定具で用いられていた楔によるシート固定方法ではなく、シート自体に穴を空ける加工等を施すことなく、市販されているシートの端部を二つの部品で上下方向に挟み込む事により、そのまま使用しても、容易に固定可能とできる構造である。
【発明の効果】
【０００８】  従って、シート自体に楔を挿入する為の穴加工や紐の取付け加工等が事前に必要となったり、楔をシートに挿入するうえで、その穴からの雑草防止についての対策も不要となる。その結果、従来構造と比較して、敷設作業性を格段に向上させる事が可能となると共に、固定したシートの捲れ防止の確実性や見栄えの向上も同時に図れるシート固定具を提供するものである。
【図面の簡単な説明】
【０００９】
【図１】本発明の実施形態１における部品構成の斜視図
【図２】本発明の実施形態１における組立て準備段階での斜視図及び断面図
【図３】本発明の実施形態１における組立て第１段階での斜視図及び断面図
【図４】本発明の実施形態１における組立て第２段階での斜視図及び断面図
【図５】本発明の実施形態１における組立て第３段階での斜視図及び断面図
【図６】本発明の実施形態１における組立て第４段階での斜視図及び断面図
【図７】本発明の実施形態１における組立て完了段階での斜視図及び断面図
【図８】本発明の実施形態１における連結組立て完了状態での斜視図
【図９】本発明の実施形態２におけるシート固定具の斜視図
【図１０】本発明の実施形態３におけるシート固定具の斜視図
【図１１】本発明の実施形態４におけるシート固定具の斜視図
【図１２】本発明の実施形態５におけるシート固定具の斜視図
【発明を実施するための形態】
【００１０】  以下、本発明のシート固定具の詳しい技術構成を実施例に則して、かつ、図面を参照して具体的に説明する。
（実施形態１）
【００１１】  図面により、本発明を説明する。図１〜図８は、本発明の実施形態１のシート固定具を説明する図である。図１は本発明の実施形態１における部品構成の斜視図であり、図２〜図７は、本発明の実施形態１における各組立て段階での斜視図及び断面図である。尚、各図における組立て段階の中で、（ａ）は斜視図であり（ｂ）は断面図である。
【００１２】  図１は、使用する部品構成を説明する図である。部品構成としては、第一の固定具１及びシート固定具２、シート３の三種類の部品によって構成されている。
【００１３】  図２は、本発明の実施形態１における組立て準備段階での斜視図及び断面図であり、シート固定における各段階は、図３の状態から図４、図５、図６と進み、最終的には図７の本発明の実施形態１における組立て完了段階での斜視図及び断面図となり、シート固定方法の一連の動作が完了する。
【００１４】  図２において、第一の固定具１にある枠部１５の両脇二箇所に構成される平面部１４の上にシート３が置かれる。シート固定具２に構成されている第一の係止突起６は、第一の固定具１の穴４に挿入される。尚、寸法関係は、シート固定具２の第一の係止突起６の寸法Ａは、第一の固定具１の穴４の寸法ａとＡ≦ａにより、穴４の中に第一の係止突起６が挿入できる関係となっている。
【００１５】  図３において、シート固定具２の第一の係止突起６が、第一の固定具１の穴４に挿入された後、図４の段階では、シート固定具２の突起７が第一の固定具１の穴４に挿入される。また、寸法関係としては、シート固定具２の突起７の寸法Ｂについては、第一の固定具１の穴４の寸法ａとＢ≦ａにより、穴４の中に突起７が挿入できる関係となっている。尚、第一の係止突起６の寸法Ａと突起７の寸法Ｂの関係は、Ａ≒Ｂとなっている。
【００１６】  シート固定具２を第一の固定具１に押し込む過程で、第一の係止突起６を通過し、次に突起７が通過する図４の位置では、第一の係止突起６の反対側に突出している突起７により第一の係止突起６は、第一の係止部１０に近づく動きをする。また、シート固定具２のスリット部１２が第一の固定具１にある角部１３に当接する事によりシート固定具２は、それ以上、穴４の内側に入らなくなり、更に、シート固定具２は第一の固定具１の枠部１５に干渉する事から、スリット部１２の近傍を軸として、枠部１５の反対側に回転する事になる。この途中段階が図５及び図６の状態である。
【００１７】  図７は、本発明の実施形態１における組立て完了段階での斜視図及び断面図であり、第一の係止突起６が第一の係止部１０に係止されると共に、第二の係止突起８が段差９に係止される事で、シート３は第一の固定具１とシート固定具２に挟まれシート３が固定される。
【００１８】  更に、図８の本発明の実施形態１における連結組立て完了状態での斜視図では、汎用品としてサイズが決められているシート３を第一の固定具１にある枠部１５の左右に構成される平面部１４の上に、それぞれ配置させ、第一の固定具１とシート固定具２で挟み込んで固定させ配置すれば、より広範囲にシート３を連続的に敷設する事ができる構造となる。
【００１９】  尚、シート３は第一の固定具１とシート固定具２により、直角方向に三回曲げられる事により、抜け難い状態で固定される構造となっている。また、組立て完了段階において、突起７は穴４内側に入り込み、穴４の空間を塞ぐ状態となり、庭や公園などの土壌１６に設置された場合、穴４の隙間から雑草が伸びる事を防止している。第一の固定具１に構成されている楔５は、土壌１６に差し込んで第一の固定具１とシート固定具２に挟まれたシート３を土壌１６に固定させる事を目的に構成されている。
（実施形態２）
【００２０】  本発明の第２実施形態について図９を用いて説明する。尚、本発明の実施形態１と実施形態２の主な相違点は、実施形態１は、第一の固定具１を１つだけ使用した場合であり、シート３の幅寸法と第一の固定具１の長さ寸法がほぼ同じ場合の実施形態であった。実施形態２では、シート３の幅寸法が第一の固定具１の長さ寸法に対して、２倍以上の大きさとなった場合に、シート３の両サイドに第一の固定具１を配置している点である。
【００２１】  例えば、除草シートの幅寸法では、１ｍの製品が主流となっているが、３３ｃｍという幅の狭いシートもある。また、長さ寸法については、５ｍ、１０ｍ、３０ｍ、５０ｍ及び１００ｍといったサイズが市販されており、バリエーションが豊富である。本発明の第２実施形態の様に使用すれば、様々な幅寸法のシート３にも対応可能である。
（実施形態３）
【００２２】  本発明の第３実施形態について図１０を用いて説明する。尚、本発明の実施形態１と実施形態３の主な相違点は、実施形態１は、第一の固定具１を１つだけ使用した場合であり、実施形態３では、第一の固定具１の第一の連結部１１ａと第二の連結部１１ｂにより、直線上に複数個を連結させて組み合わせている点である。
【００２３】  図１０の（ａ）は、第一の固定具１を三個連結させている図である。本発明の第３実施形態の様に使用すれば、例えば、農作物の育成を阻害してしまう雑草や害虫に対する対策として使用しているマルチシートの様に、シートの敷設と取外しを毎年実施する使用方法として、大変に有効である。具体的には、図１０（ｂ）の様にシート３を第一の固定具１を軸としてテープを巻く様に巻き込んで片付けや保管ができるので、敷設ではシート３を広げて第一の固定具１を土壌１６に固定すれば簡単に完了する。
【００２４】  また、片付けは敷設作業と逆の作業をする事になるので、簡単な作業で敷設や片付けが可能となり、シート３が捻じれたり、あるいは絡んでしまう事により、強引に引っ張られ、切れる等のトラブルも未然に防止できる。更に、巻いた状態での保管となるので、収納スペースの圧縮もでき、工数の削減と品質の向上も図れる効果的な技術である。
（実施形態４）
【００２５】  本発明の第４実施形態について図１１を用いて説明する。図１１の（ａ）は本発明の実施形態１であり、図１１（ｂ）は本発明の実施形態４である。尚、本発明の実施形態１と実施形態４の主な相違点は、実施形態１は、シート固定具２に構成されている第一の係止突起６が、凸形状となっているのに対して、実施形態４では、凹形状の回転用穴１７となっている点である。回転用穴１７は、第一の係止部１０に差し込まれ、支柱６ａによってシート固定具２と第一の固定具１からの抜けを防止している。
【００２６】  更に、実施形態４では、シート３が第一の固定具１とシート固定具２に挟まれ、完全に固定された後、シート３を交換する際に、取外しが容易にできる様にロック解除突起１８を設定している点である。尚、ロック解除突起１８に何らかの外力が加わり、誤ってシート３が抜ける事がない様に、ロック解除突起１８の両サイドには、保護壁１９が設けられている。また、シート３を交換する際は、ロック解除突起１８を指先で引き上げる方向に力を加える事で、第二の係止突起８と段差９の係止状態が解除され、シート３を取外す事ができる。尚、シート固定具２を挿入開始位置まで回転させて、初期状態まで戻した後、引離す事により、第一の固定具１からシート固定具２を取外す事ができる。
（実施形態５）
【００２７】  本発明の第５実施形態について図１２を用いて説明する。尚、本発明の実施形態１と実施形態５の主な相違点は、実施形態１は、第一の固定具１を１つだけ使用した場合であり、実施形態５では、第一の固定具１の第一の連結部１１ａと第二の連結部１１ｂにより、直線あるいは直角に複数個を組み合わせて使用している点である。
【００２８】  図１２では、第一の固定具１を４個、第二の固定具１ａを４個使用して、枠を構成している。第二の固定具１ａは、第一の固定具１と比較して長さが短い物であるが、構成は第一の固定具１と同じである。尚、枠の内側には土壌１６がある。土壌１６のままでは雑草が生えてしまうので、枠内の範囲にシート３を取り付ける。尚、第一の固定具１と第二の固定具１ａが構成されている枠の外にある根からの侵攻により、雑草が入り込む防止策として、楔５が土壌１６に差し込まれる構造となっている。
【００２９】  更に、構成された枠内のシート３の上に、様々な種類のタイルやブロックの他に小さな石や人工芝あるいはカーペットなどを使用すれば、デザイン性も豊かにでき、見栄えの良いものにできる利点がある。また、楔５を取除いた状態とすれば、屋上やベランダなどで除草シートの上に土壌１６を入れる事により、花や野菜等を育てる園芸用の枠体として使用する事もできる。尚、枠の大きさは、第一の固定具１と第二の固定具１ａの組合せや追加により変更する事ができる。また、枠だけでなく直線的にも使用できるので、シート３の幅寸法に合わせた長さ寸法とする事も可能である。
【００３０】  第一の固定具１とシート固定具２は、樹脂などの軽いものでできているので、設置作業も手軽で効率的に実施できるとともに、拡張や変更にも容易に対応できる。使用材質については、合成樹脂の単独、あるいは、木屑、炭酸カルシュウム、再生プラスチックス、などの充填剤を高配合させたＰＥ、ＰＰ、ポリアミドなどの可とう性のある合成樹脂、更には、耐候性安定剤や防虫剤などの添加剤を配合した合成樹脂などで構成すればよい。また、可とう性や耐候性のあるステンレスなどの金属を使用してもよい。
【００３１】  更に、本発明では全ての構成部品が、組立式であるとともに分解も容易に可能な構造となっており、部品廃却時には解体作業による材料分別に貢献できる構造である。更に、エコキャップ運動と連動して再資源化を実施することも可能な構造であり、地球温暖化対策に向けた二酸化炭素の排出低減に大きく貢献できるものである。
【産業上の利用可能性】
【００３２】  本発明は、雑草が生えてしまい、その対策として使用する除草シートや農作物の育成補助として使用しているマルチシート等のシート類を、シート自体に穴開けなどの加工を施す事なく、シートの敷設が必要とされる範囲の大きさを自由に定め、簡単な組立で見栄え
【符号の説明】
【００３３】１          ・・・・第一の固定具
１ａ        ・・・・第二の固定具
２          ・・・・シート固定具
３          ・・・・シート
４          ・・・・穴
５          ・・・・楔
６          ・・・・第一の係止突起
６ａ        ・・・・支柱
７          ・・・・突起
８          ・・・・第二の係止突起
９          ・・・・段差
１０        ・・・・第一の係止部
１２        ・・・・スリット部
１３        ・・・・角部
１４        ・・・・平面部
１５        ・・・・枠部
１６        ・・・・土壌
１７        ・・・・回転用穴
１８        ・・・・ロック解除突起
１９        ・・・・保護壁
【図１】
2013022014.tif 000003
【図２】
2013022014.tif 000004
【図３】
2013022014.tif 000005
【図４】
2013022014.tif 000006
【図５】
2013022014.tif 000007
【図６】
2013022014.tif 000008
【図７】
2013022014.tif 000009
【図８】
2013022014.tif 000010
【図９】
2013022014.tif 000011
【図１０】
2013022014.tif 000012
【図１１】
2013022014.tif 000013
【図１２】
2013022014.tif 000014
【手続補正書】
【提出日】平成23年11月20日(2011.11.20)
【手続補正１】
【補正対象書類名】特許請求の範囲
【補正対象項目名】全文
【補正方法】変更
【補正の内容】
【特許請求の範囲】
【請求項１】
第一の固定具１と、シート固定具２とから構成され、除草シートや農作物の育成補助に使用するマルチシート等のシート３を挟みこんで固定する為のものであり、前記第一の固定具１は、下側に開口する細長の箱状部材１１と、前記箱状部材１１の表面の幅方向中央より垂直に、且つ当該箱状部材１１の長さ方向に沿って立設された凸形状の枠部１５とを備え、前記枠部１５の付け根には、凹形状の穴４が穿設されて第一の係止部１０を構成しており、前記箱状部材１１の幅方向の両側面には、長さ方向に沿って表面が突出した段差９が形成され、前記シート固定具２は、板状体を折曲して断面Ｌ字型とされており、断面視一方端には、前記穴４に差し込み係合する凸形状の第一の係止突起６が長さ方向に沿って設けられ、断面視他方端には、段差９に係合する第二の係止突起８が長さ方向に沿って設けられ、前記第一の係止突起６と第二の係止突起８は互いに反対の面に設けられており，前記シート３は、前記第一の係止突起６が前記第一の係止部１０に差し込まれて前記第一の固定具１に対し前記シート固定具２が回動可能とされた状態で、これら両固定具の間に挟み込まれ、前記第二の係止突起８が前記段差９に係合することで、当該シート３を固定するようにしたことを特徴とするシート固定構造。
【請求項２】
前記シート固定具２には、さらに突起７が設けられ、前記突起７と前記第一の係止突起６は、互いに反対面に突出して構成されている事を特徴とする請求項１記載のシート固定構造。
【請求項３】
前記第一の固定具１にある枠部１５の付け根の箱状部材１１の表面は、平面部１４で構成されていることを特徴とする請求項１記載のシート固定構造。
【請求項４】
前記第一の固定具１には、隣接する範囲への根止めと土壌１６への部品の位置固定を目的とした楔５を設けた事を特徴とする請求項１記載のシート固定構造。
【請求項５】
前記穴４は、前記シート固定具２と係止される事により、前記穴４が塞がれる状態となる事を特徴とする請求項１記載のシート固定構造。
【手続補正３】
【補正対象書類名】明細書
【補正対象項目名】０００１
【補正方法】変更
【補正の内容】
【０００１】  本発明は、主に屋外で使用される除草シートやマルチシート等のシート類を簡単に敷設可能とするシート固定構造に関する。
【手続補正４】
【補正対象書類名】明細書
【補正対象項目名】０００８
【補正方法】変更
【補正の内容】
【０００８】  従って、シート自体に楔を挿入する為の穴加工や紐の取付け加工等が事前に必要となったり、楔をシートに挿入するうえで、その穴からの雑草防止についての対策も不要となる。その結果、従来構造と比較して、敷設作業性を格段に向上させる事が可能となると共に、固定したシートの捲れ防止の確実性や見栄えの向上も同時に図れるシート固定構造を提供するものである。
【手続補正５】
【補正対象書類名】明細書
【補正対象項目名】０００９
【補正方法】変更
【補正の内容】
【０００９】
【図１】本発明の実施形態１における部品構成の斜視図
【図２】本発明の実施形態１における組立て準備段階での斜視図及び断面図
【図３】本発明の実施形態１における組立て第１段階での斜視図及び断面図
【図４】本発明の実施形態１における組立て第２段階での斜視図及び断面図
【図５】本発明の実施形態１における組立て第３段階での斜視図及び断面図
【図６】本発明の実施形態１における組立て第４段階での斜視図及び断面図
【図７】本発明の実施形態１における組立て完了段階での斜視図及び断面図
【図８】本発明の実施形態１における連結組立て完了状態での斜視図
【図９】本発明の実施形態２におけるシート固定構造の斜視図
【図１０】本発明の実施形態３におけるシート固定構造の斜視図
【図１１】本発明の実施形態１とこれを変形した参考例とを比較説明する為の斜視図
【図１２】本発明の実施形態４におけるシート固定構造の斜視図
【手続補正６】
【補正対象書類名】明細書
【補正対象項目名】００１１
【補正方法】変更
【補正の内容】
【００１１】  図面により、本発明を説明する。図１〜図８は、本発明の実施形態１のシート固定構造を説明する図である。図１は本発明の実施形態１における部品構成の斜視図であり、図２〜図７は、本発明の実施形態１における各組立て段階での斜視図及び断面図である。尚、各図における組立て段階の中で、（ａ）は斜視図であり（ｂ）は断面図である。
【手続補正７】
【補正対象書類名】明細書
【補正対象項目名】００１２
【補正方法】変更
【補正の内容】
【００１２】  図１は、使用する部品構成を説明する図である。部品構成としては、第一の固定具１と、シート固定具２とから構成され、除草シートや農作物の育成補助に使用するマルチシート等のシート３を挟みこんで固定する為のものである。第一の固定具１は、下側に開口する細長の箱状部材１１と、箱状部材１１の表面の幅方向中央より垂直に、且つ当該箱状部材１１の長さ方向に沿って立設された凸形状の枠部１５とを備え、枠部１５の付け根には、凹形状の穴４が穿設されて第一の係止部１０を構成しており、箱状部材１１の幅方向の両側面には、長さ方向に沿って表面が突出した段差９が形成されている。
【手続補正８】
【補正対象書類名】明細書
【補正対象項目名】００１３
【補正方法】変更
【補正の内容】
【００１３】シート固定具２は、板状体を折曲して断面Ｌ字型とされており、断面視一方端には、穴４に差し込み係合する凸形状の第一の係止突起６が長さ方向に沿って設けられ、断面視他方端には、段差９に係合する第二の係止突起８が長さ方向に沿って設けられ、第一の係止突起６と第二の係止突起８は互いに反対の面に設けられている。図２は、本発明の実施形態１における組立て準備段階での斜視図及び断面図であり、シート固定における各段階は、図３の状態から図４、図５、図６と進み、最終的には図７の本発明の実施形態１における組立て完了段階での斜視図及び断面図となり、シート固定方法の一連の動作が完了する。
【手続補正９】
【補正対象書類名】明細書
【補正対象項目名】００１４
【補正方法】変更
【補正の内容】
【００１４】  図２において、第一の固定具１にある枠部１５の付け根の箱状部材１１の表面は、平面部１４で構成され、両脇二箇所に構成される平面部１４の上にシート３が置かれる。シート固定具２に構成されている第一の係止突起６は、第一の固定具１の穴４に挿入される。尚、寸法関係は、シート固定具２の第一の係止突起６の寸法Ａは、第一の固定具１の穴４の寸法ａとＡ≦ａにより、穴４の中に第一の係止突起６が挿入できる関係となっている。
【手続補正１０】
【補正対象書類名】明細書
【補正対象項目名】００１６
【補正方法】変更
【補正の内容】
【００１６】  シート固定具２には、さらに突起７が設けられ、突起７と第一の係止突起６は、互いに反対面に突出しており、第一の固定具１に押し込む過程で、第一の係止突起６を通過し、次に突起７が通過する図４の位置では、第一の係止突起６の反対側に突出している突起７により第一の係止突起６は、第一の係止部１０に近づく動きをする。また、シート固定具２のスリット部１２が第一の固定具１にある角部１３に当接する事によりシート固定具２は、それ以上、穴４の内側に入らなくなり、更に、シート固定具２は第一の固定具１の枠部１５に干渉する。シート３は、前記第一の係止突起６が前記第一の係止部１０に差し込まれて前記第一固定具１に対し、シート固定具２にあるスリット部１２の近傍を軸として、枠部１５の反対側に回動可能とされた状態で、これら両固定具の間に挟み込まれ、前記第二の係止突起８が前記段差９に係合することで、当該シート３を固定する事になる。この途中段階が図５及び図６の状態である。
【手続補正１１】
【補正対象書類名】明細書
【補正対象項目名】００１９
【補正方法】変更
【補正の内容】
【００１９】  尚、シート３は第一の固定具１とシート固定具２により、直角方向に三回曲げられる事により、抜け難い状態で固定される構造となっている。また、組立て完了段階において、突起７は穴４内側に入り込み、穴４の空間を塞ぐ状態となり、庭や公園などの土壌１６に設置された場合、穴４の隙間から雑草が伸びる事を防止している。第一の固定具１に構成されている楔５は、土壌１６に差し込んで隣接する範囲への根止めと、第一の固定具１とシート固定具２に挟まれたシート３を土壌１６への部品の位置固定を目的に構成されている。
【手続補正１２】
【補正対象書類名】明細書
【補正対象項目名】００２４
【補正方法】変更
【補正の内容】
【００２４】  また、片付けは敷設作業と逆の作業をする事になるので、簡単な作業で敷設や片付けが可能となり、シート３が捻じれたり、あるいは絡んでしまう事により、強引に引っ張られ、切れる等のトラブルも未然に防止できる。更に、巻いた状態での保管となるので、収納スペースの圧縮もでき、工数の削減と品質の向上も図れる効果的な技術である。
【手続補正１３】
【補正対象書類名】明細書
【補正対象項目名】００２５
【補正方法】変更
【補正の内容】
【００２５】  本発明の実施形態１の一部の形状を変更した参考例について図１１を用いて説明する。図１１の（ａ）は本発明の実施形態１であり、図１１（ｂ）はこの参考例である。尚、本発明の実施形態１と参考例の主な相違点は、実施形態１は、シート固定具２に構成されている第一の係止突起６が、凸形状となっているのに対して、参考例では、凹形状の回転用穴１７となっている点である。回転用穴１７は、第一の係止部１０に差し込まれ、支柱６ａによってシート固定具２と第一の固定具１からの抜けを防止している。
【手続補正１４】
【補正対象書類名】明細書
【補正対象項目名】００２６
【補正方法】変更
【補正の内容】
【００２６】  更に、参考例では、シート３が第一の固定具１とシート固定具２に挟まれ、完全に固定された後、シート３を交換する際に、取外しが容易にできる様にロック解除突起１８を設定している点である。尚、ロック解除突起１８に何らかの外力が加わり、誤ってシート３が抜ける事がない様に、ロック解除突起１８の両サイドには、保護壁１９が設けられている。また、シート３を交換する際は、ロック解除突起１８を指先で引き上げる方向に力を加える事で、第二の係止突起８と段差９の係止状態が解除され、シート３を取外す事ができる。尚、シート固定具２を挿入開始位置まで回転させて、初期状態まで戻した後、引離す事により、第一の固定具１からシート固定具２を取外す事ができる。
（実施形態４）
【手続補正１５】
【補正対象書類名】明細書
【補正対象項目名】００２７
【補正方法】変更
【補正の内容】
【００２７】  本発明の実施形態４について図１２を用いて説明する。本発明の実施形態１と実施形態４の主な相違点は、実施形態１は、第一の固定具１を１つだけ使用しており、実施形態４は、複数の第一の固定具１を用い、それぞれの第一の連結部１１ａと第二の連結部１１ｂとを、直線的または直角に連結する事により、方形状の枠を形成している点である。
【手続補正１６】
【補正対象書類名】明細書
【補正対象項目名】００２８
【補正方法】変更
【補正の内容】
【００２８】図１２では、第一の固定具１を４個、第一の固定具１ａを４個使用して、枠を構成している。第一の固定具１ａは、第一の固定具１と比較して長さが短い物であるが、構成は第一の固定具１と同じである。尚、枠の内側には土壌１６がある。土壌１６のままでは雑草が生えてしまうので、枠内の範囲にシート３を取り付ける。尚、第一の固定具１と第一の固定具１ａが構成されている枠の外にある根からの侵攻により、雑草が入り込む防止策として、楔５が土壌１６に差し込まれる構造となっている。
【手続補正１７】
【補正対象書類名】明細書
【補正対象項目名】００３３
【補正方法】変更
【補正の内容】
【００３３】１          ・・・・第一の固定具
１ａ        ・・・・第一の固定具
２          ・・・・シート固定具
３          ・・・・シート
４          ・・・・穴
５          ・・・・楔
６          ・・・・第一の係止突起
６ａ        ・・・・支柱
７          ・・・・突起
８          ・・・・第二の係止突起
９          ・・・・段差
１０        ・・・・第一の係止部
１１        ・・・・箱状部材
１２        ・・・・スリット部
１３        ・・・・角部
１４        ・・・・平面部
１５        ・・・・枠部
１６        ・・・・土壌
１７        ・・・・回転用穴
１８        ・・・・ロック解除突起
１９        ・・・・保護壁
【手続補正１８】
【補正対象書類名】図面
【補正対象項目名】図１
【補正方法】変更
【補正の内容】
【図１】
2013022014.tif 000015
【手続補正１９】
【補正対象書類名】図面
【補正対象項目名】図２
【補正方法】変更
【補正の内容】
【図２】
2013022014.tif 000016
【手続補正２０】
【補正対象書類名】図面
【補正対象項目名】図３
【補正方法】変更
【補正の内容】
【図３】
2013022014.tif 000017
【手続補正２１】
【補正対象書類名】図面
【補正対象項目名】図４
【補正方法】変更
【補正の内容】
【図４】
2013022014.tif 000018
【手続補正２２】
【補正対象書類名】図面
【補正対象項目名】図５
【補正方法】変更
【補正の内容】
【図５】
2013022014.tif 000019
【手続補正２３】
【補正対象書類名】図面
【補正対象項目名】図６
【補正方法】変更
【補正の内容】
【図６】
2013022014.tif 000020